(57)【要約】【課題】ポンプ重量を増加させることなく、比較的簡単な構成でポンプ羽根車やボウル部で発生する振動の上部への伝達を効果的に抑えることができる立軸ポンプを提供すること。【解決手段】ポンプ羽根車２を収容するボウル部１と揚水管４−１〜４を接続し、該揚水管４−１〜４内にポンプ羽根車２の回転軸５に連結される主軸７−１〜３を配置した構成の立軸ポンプにおいて、ボウル部１と揚水管の間又は該揚水管途中に可撓管３を介在させた。これによりポンプを頑丈な構造とすることなく、比較的簡単な構成で発生する振動の伝播を効果的に抑えることができる。【選択図】図１
2005061317.tif 000002
【特許請求の範囲】
【請求項１】
ポンプ羽根車を収容するボウル部と揚水管を接続し、該揚水管内に前記ポンプ羽根車の回転軸に連結される主軸を配置した構成の立軸ポンプにおいて、
前記ボウル部と揚水管の間又は該揚水管途中に可撓管を介在させたことを特徴とする立軸ポンプ。
【請求項２】
請求項１に記載の立軸ポンプにおいて、
前記可撓管の両端部に位置する前記ボウル部と揚水管の端部又は揚水管の端部どうしを複数本のチェーン又はステーボルトで連結したことを特徴とする立軸ポンプ。
【請求項３】
請求項１又は２に記載の立軸ポンプにおいて、
前記ポンプ羽根車の回転軸と主軸の間又は該主軸の途中に撓み軸継手を介在させたことを特徴とする立軸ポンプ。
【発明の詳細な説明】
【技術分野】
【０００１】
本発明は、ポンプ羽根車を収容するボウル部と揚水管を垂直方向に接続した構造の立軸ポンプに関するものである。
【背景技術】
【０００２】
従来、この種の立軸ポンプは、ポンプ羽根車を収容するボウル部と揚水管を垂直方向に直列に接続し、揚水管内にポンプ羽根車の回転軸に連結される主軸を配置した構成である。このような構成の立軸ポンプにおいて、下記（Ａ）〜（Ｃ）の場合に、ポンプは振動を発生する。この振動を抑えるために、ポンプ構造を頑丈にしたり、揚水管に支持部材を設け、該支持部材を吸込水槽内壁に固定する等の防振対策を講じていた。しかしながら、ポンプ構造を頑丈にすると、ポンプ重量が増加するという問題があり、また、揚水管に支持部材を設ける防振対策も水槽内壁面に支持部材を固定する等工事を施す必要があり、特に既存の水槽に設けるには困難な作業を伴うという問題がある。
【０００３】
（Ａ）吸込水槽の水位が低い状態でポンプを運転した場合、吸込水槽の形状が不適切な場合、既設の吸込水槽においてポンプ更新等を行い水量アップした場合（水槽内の流速が増加により）に、生じる空気吸込渦や水中渦をポンプが吸込んだ場合。（Ｂ）ポンプ羽根車でキャビテーションが生じた場合。（Ｃ）先行待機ポンプにおいて、気水混合運転からエアロックに至る間（先行待機ポンプは、吸込水位が低くなると空気管から空気が入り、気水混合運転となり、さらに多量の空気が吸入され、揚水不能となりエアロック運転となる）。
【発明の開示】
【発明が解決しようとする課題】
【０００４】
本発明は上述の点に鑑みてなされたもので、上記問題点を除去し、ポンプ重量を増加させることなく、比較的簡単な構成でポンプ羽根車やボウル部で発生する振動の上部への伝達を効果的に抑えることができる立軸ポンプを提供することを目的とする。
【課題を解決するための手段】
【０００５】
上記課題を解決するため請求項１に記載の発明は、ポンプ羽根車を収容するボウル部と揚水管を接続し、該揚水管内にポンプ羽根車の回転軸に連結される主軸を配置した構成の立軸ポンプにおいて、ボウル部と揚水管の間又は該揚水管途中に可撓管を介在させたことを特徴とする。
【０００６】
請求項２に記載の発明は、請求項１に記載の立軸ポンプにおいて、可撓管の両端部に位置するボウル部と揚水管の端部又は揚水管の端部どうしを複数本のチェーン又はステーボルトで連結したことを特徴とする。
【０００７】
請求項３に記載の発明は、請求項１又は２に記載の立軸ポンプにおいて、ポンプ羽根車の回転軸と主軸の間又は該主軸の途中に撓み軸継手を介在させたことを特徴とする。
【発明の効果】
【０００８】
請求項１に記載の発明によれば、ボウル部と揚水管の間又は揚水管途中に可撓管を介在させたことにより、ポンプ羽根車やボウル部の振動は可撓管で吸収され揚水管を介して上部に伝わりにくくなり、ポンプ構造を頑丈な構造とすることなく、比較的簡単な構成で発生する振動の伝播を効果的に抑えることのできる立軸ポンプを提供できる。また、既存の吸込水槽にも従来の立軸ポンプと同様に取付けることができる。
【０００９】
請求項２に記載の発明によれば、可撓管の両端に位置するボウル部と揚水管の端部又は揚水管の端部どうしを複数本のチェーン又はステーボルトで連結したことにより、可撓管及びそれから下の荷重を支えることができ、可撓管にそれより下の機器荷重がかかることがないから、可撓管の振動吸収作用は損なわれることなく、効果的に振動の伝達を抑えることができる。
【００１０】
請求項３に記載の発明によれば、ポンプ羽根車の回転軸と主軸の間又は該主軸の途中に撓み軸継手を介在させることにより、可撓管の撓みに連動して撓み軸継手も撓むから、主軸の回転力をスムーズにポンプ羽根車に伝達できる。
【発明を実施するための最良の形態】
【００１１】
以下、本発明の実施の形態例を図面に基づいて説明する。図１は本発明に係る立軸ポンプの構成を示す図である。ポンプ羽根車２が収容されるボウル部１の上端に可撓管３が接続され、該可撓管３の上方には複数の揚水管４−１、４−２、４−３が接続管１６−１,１６−２を介して垂直且つ直列に接続されている。揚水管４−３の上端には、湾曲した揚水管４−４が接続されている。
【００１２】
ポンプ羽根車２の回転軸５はスラスト軸受６でボウル部１内に回転自在に支持されると共に、撓み軸継手１６を介して主軸７−１が連結され、該主軸７−１には軸継手８−１、８−２を介して主軸７−２、７−３が順次連結され、主軸７−３の上端には軸継手９を介して図示しない原動機の回転軸１０が連結されている。主軸７−１、７−２、７−３は接続管１６−１、１６−２内に取り付けたラジアル軸受１１−１、１１−２、１１−３を介して揚水管４−１、４−２、４−３、４−４内に回転自在に支持されている。なお、スラスト軸受６をボウル部１内にも設け、ポンプ羽根車２の荷重及び水力スラスト荷重を受けるように構成したのは、撓み軸継手１６ではスラスト力を伝えることができないからである。
【００１３】
可撓管３の両端部に位置するボウル部１の上端部と揚水管４−１の下部には、それぞれフランジ１２、フランジ１３が設けられ、該フランジ１２とフランジ１３は複数本のチェーン１４で接続されている。これにより揚水管４−１から下の機器荷重を該チェーン１４で支持するようになっている。なお、立軸ポンプの主軸７−１〜７−３、ボウル部１及びポンプ羽根車２等の機器荷重は揚水管４−１〜４−４に固定された架台１７を介して吸込水槽（図示せず）の上方に設けたポンプ床１８に支持される。
【００１４】
上記構成の立軸ポンプにおいて、図示しない原動機を起動する原動機の回転軸１０が回転し、その回転力は主軸７−３〜７−１及び撓み軸継手１６を介してポンプ羽根車２の回転軸５に伝達され、該ポンプ羽根車２を回転する。ポンプ羽根車２の回転によりベルマウス１５の下端から吸込まれた水はボウル部１及び揚水管４−１〜４−４内を通って揚水される。この際、上記（Ａ）〜（Ｂ）の場合にポンプ羽根車２及びボウル部１に振動が発生するが、該振動はボウル部１の上端と揚水管４−１に介在されている可撓管３に収容され、上部に伝達されない。
【００１５】
図２は可撓管３の構成例を示す図であり、図２（ａ）はゴム製ベローズ形、図２（ｂ）はゴム製ストレート形とよばれるものである。ゴム製ベローズ形は、図２（ａ）に示すようにベローズ状円筒の可撓ゴム部２１の両端に口金部２２、２２が取り付けられた構成である。この口金部２２、２２に図１のボウル部１の上端及び主軸７−１の下端を接続する。また、ゴム製ストレート形は図２（ｂ）に示すようにストレート状円筒の可撓ゴム部２３の両端に口金部２４、２４を挿入固定した構成である。この口金部２４、２４に図１のボウル部１の上端及び主軸７−１の下端を接続する。なお、図２（ａ）及び（ｂ）は可撓管３の一構成例であり、可撓管３はこれに限定されるものではないことは当然である。
【００１６】
図３は撓み軸継手１６の構成例を示す図である。多角形に形成された弾力性のあるゴム２５をポンプ羽根車２の回転軸５の端部に設けられたフランジ２６と主軸７−１の端部に設けられたフランジ２７に互いにボルト２８で取り付けた構成である。なお、図３は撓み軸継手１６の一構成例であり、撓み軸継手１６はこれに限定されるものではないことは当然である。
【００１７】
また、上記例ではフランジ１２とフランジ１３を複数本のチェーン１４で接続し、揚水管４−１から下の機器荷重を該複数本のチェーン１４で支持するようにしているが、これに代え、図示は省略するが、複数本のステーボルトを用いてフランジ１２とフランジ１３を接続してもよい。
【００１８】
また、上記例ではボウル部１と揚水管４−１の間に可撓管３を介在させているが、これに限定されるものではなく、例えば揚水管４−１の途中又は揚水管４−１と揚水管４−２等揚水管の途中に設けてもよいことは当然である（但し、ボウル部１に近い方が振動伝播を抑えるには効果的である）。また、上記例ではポンプ羽根車２の回転軸５と主軸７−１の間に撓み軸継手１６を介在させたが、主軸７−１の途中又は主軸７−１と７−２の間等主軸の途中に設けてもよい（但し、可撓管３と略同じ位置に設けるのがよい）。
【００１９】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００２０】
【図１】本発明に係る立軸ポンプの構成例を示す図である。
【図２】可撓管の構成例を示す図である。
【図３】撓み軸継手の構成例を示す図である。
【符号の説明】
【００２１】
１            ボウル部
２            ポンプ羽根車
３            可撓管
４−１        揚水管
４−２        揚水管
４−３        揚水管
４−４        揚水管
５            回転軸
６            スラスト軸受
７−１        主軸
７−２        主軸
７−３        主軸
８−１        軸継手
８−２        軸継手
９            軸継手
１０          回転軸
１１−１      ラジアル軸受
１１−２      ラジアル軸受
１１−３      ラジアル軸受
１２          フランジ
１３          フランジ
１４          チェーン
１５          ベルマウス
１６          撓み軸継手
１７          架台
１８          ポンプ床
【図１】
2005061317.tif 000003
【図２】
2005061317.tif 000004
【図３】
2005061317.tif 000005